【事件の表示】
　平成　７年特許願第１７７７９０号「電気スマートカード用ポータブルインターフェース」拒絶査定不服審判事件〔平成　８年　３月　８日出願公開、特開平　８−　６３５５６〕について、次のとおり審決する。
【結　論】
　本件審判の請求は、成り立たない。
【理　由】
１．手続の経緯
　本願は、平成７年７月１３日（パリ条約による優先権主張１９９４年７月１３日、フランス国）の出願であって、平成１６年５月１０日付けで拒絶の理由が通知され、平成１７年１月２１日付けで拒絶査定がなされたのに対し、同年５月２日に拒絶査定に対する審判請求がなされるとともに、同年５月３１日付けで手続補正がなされ、当審において、平成１９年１１月１６日付けで拒絶の理由が通知され、平成２０年５月１９日付けで手続補正がなされたものである。
　
２．本願発明
　本願の請求項１に係る発明（以下、「本願発明」という。）は、平成２０年５月１９日付けの手続補正書によって補正された特許請求の範囲に記載された次のとおりのものである。
　
「カードリーダーにプラグ接続でき、電気接続タブ（３３、６６、８８、９８、１３２、１３５）を備えた少なくとも１つの電気スマートカード（２６、５２、５４、７５、７６、１３０）とカードリーダーとの間のポータブルインターフェースにおいて、
　長さ、幅及び厚さを有し、カードリーダーに受け入れられるように設計され、且つモジュールの長さの一端に前記カードリーダーとの接続用のプラグ接続可能な電気接続手段（１６）を含むモジュールを有し、モジュール（１０、８０、１２０）は、ＰＣＭＣＩＡ規格に従う長方形の平行六面体の形状であり、且つ前記スマートカードの幅にほぼ相当する幅を有し、モジュールはスマートカードが通ることができる横方向のスロット（８２）を含み、
　前記スマートカードの挿入用のスロット（２４、１２２）を含み、且つプラグ接続可能な電気接続手段（１６）と反対側の、モジュール（１０、８０、１２０）の長手方向の他端に固着された端部分（１８、１２１）を有し、端部分の幅はモジュールの幅よりも大きく、
　スマートカードの少なくとも一部分を受け入れるための、前記スロットから前記端部分の少なくとも一部分を突き抜ける、ほぼ平らな形状のハウジング（２８、８２）を備え、前記ハウジングはスマートカード用のガイド及び位置決め手段（３４、３６、１０２、１０４、１２５、１２８）を有し、前記ガイド及び位置決め手段は、スマートカード（７６）がハウジング（８４）に挿入されるとき、スマートカード（７６）を案内し、
　さらに、スマートカードの前記電気接続タブとの電気接続手段（３２、６８、７０、１３３、１３６）を備えている、
ことを特徴とするインターフェース。」
　
　なお、上記本願の特許請求の範囲における請求項１の記載では、図面において使用した符号が括弧をして記載されているが、これら図面において使用した符号の記載は、以下の引用発明との対比、相違点の認定及び判断の記述においては省略するものとする。
　
３．引用発明
　当審の拒絶理由に引用された刊行物である特開平６−１３１５０８号公報（以下、「引用文献１」という。）には、図面とともに以下の事項が記載されている。
　
Ａ．「【０００１】
【産業上の利用分野】本発明は、ＩＣカードの情報の読取り、書込み等の情報処理を行うＩＣカード情報処理装置に係わり、詳しくは携帯型パソコン等のコンピュータ機器に接続して使用するＩＣカード情報処理装置に関する。
【０００２】
【従来の技術】従来、ＩＣカード情報処理装置は、外置型でコネクタケーブル等でコンピュータ機器に設けられたＲＳ−２３２Ｃ等のインターフェイスに接続して使用するようになっている。
【０００３】一方、携帯型のコンピュータ機器においては、一般に機能拡張用の拡張基板が装着できるように拡張スロットを備えている。近年、この拡張基板のカード化および標準化が進められており、サイズが統一化される傾向にある。
【０００４】今後、標準化される拡張スロットとして、例えばＰＣＭＣＩＡカードスロットがあり、このスロットに挿入されるカードは、米国での拡張ＩＣカード標準化団体であるＰＣＭＣＩＡ（PC Memory Card International Association) が基準を定めている。
【０００５】そして、半導体メモリを搭載したＩＣメモリは、タイプ２として厚さ５mmとサイズが決められている。
【０００６】
【発明が解決しようとする課題】上記のように、従来のＩＣカード情報処理装置は、接続するコンピュータ機器と別置でサイズも大きく、コネクタケーブル等でＲＳ−２３２Ｃ等のインターフェイスに接続する必要があり、使用場所に制約されたり、運搬上も繁雑で不便であった。また、ＲＳー２３２Ｃ等のインターフェイスを占有してしまい、他のＩ／Ｏ機器を接続する時には取外さなければならない等の不便さもあった。
【０００７】本発明は、上記事情に基づきなされたもので、携帯型パソコン等のコンピュータ機器の規格化されたメモリカード用スロットに挿入接続が可能であって、コンピュータ機器と一体で使用や運搬が行え、使用場所を選ばず使えて利便性が大幅に向上するとともにＲＳー２３２Ｃ等のインターフェイスを占有せず他のＩ／Ｏ機器類を接続したままで使用することも可能なＩＣカード情報処理装置を提供することを目的とする。」
　
Ｂ．「【００１２】図１は本発明のＩＣカード情報処理装置１の外観を示し、図２は拡張メモリ等のメモリカード（図示しない）を差し込むメモリカード用スロット２Ａを備えたノート型パソコン等のコンピュータ機器２を示す。
【００１３】コンピュータ機器２の前記メモリカード用スロット２Ａの内部は、各種のメモリカード規格に準じた形状寸法になっている。そして、本発明のＩＣカード情報処理装置１をメモリカード用スロット２Ａに挿入することにより、その先端部に設けられたコネクタ部３がコンピュータ機器２内の接続コネクタ２Ｂ（図１３参照）に電気的に接続されるようになっている。
【００１４】ＩＣカード情報処理装置１は、大部分がメモリカードの規格に準じた形状寸法、具体的には厚さ方向では最大５mm、幅方向ではＩＣカード６とほぼ同じ寸法である５４mmとなっており、メモリカード用スロット２Ａに内蔵される部分１Ａとコンピュータ機器２外に出る部分１Ｂとが一体に構成されている。ただしこの外に出る部分１Ｂはコンピュータ機器２のメモリカード用スロット２Ａの形状によっては内蔵も可能な部分ではある。」
　
Ｃ．「【００１６】図中９は各機構部材を保持するメインフレーム１０と、このメインフレーム１０が固定されるとともに外形を構成するメインフレーム枠１１とからなる装置本体である。装置本体９の構成部材であるメインフレーム枠１１のメモリカード用スロット２Ａに内蔵される部分１Ａは適用対象のメモリカードの規格に合った形状寸法になっている。」
　
Ｄ．「【００１７】メインフレーム枠１１のコンピュータ機器２外に出る部分１Ｂの端面には、ＩＣカード６の挿入ガイドとなるガイド部１１Ａ，１１Ｂ，１１Ｃを有したカード挿入口１１Ｇが設けられている。このカード挿入口１１Ｇは入り口が広く、ＩＣカード６の挿入方向（矢印Ａ方向）に向かって狭まり所定の開口部寸法になるように形成されている。
【００１８】カード挿入口１１Ｇのガイド部１１Ｃの近傍には、ガイドローラ２６Ａ，２６Ｂがガイドローラばね２６ＣによってＩＣカード６の挿入方向に向かって右方向（矢印Ｂ方向）に付勢された状態かつ回転自在に保持されていてカード付勢手段２６を構成している。そして、これらガイドローラ２６Ａ，２６ＢによりＩＣカード６を矢印Ｂ方向に押圧し、カード挿入口１１Ｇと連通するＩＣカード挿入路７の一側に設けられたガイド面１１Ｄ，１１Ｅに突き当たることによりカード挿入口１１Ｇ付近での幅方向の位置決めがなされるようになっている。」
　
Ｅ．「【００６９】しかして、上記のように構成されたカード情報処理装置１にあっては、ＩＣカード６を挿入するカード挿入口１１Ｇを有した装置本体９と、この装置本体の前記カード挿入口１１Ｇから挿入されたＩＣカード６の接点としてのコンタクト部６Ｂに接離するコンタクト２３，２４と、このコンタクト２３，２４と電気的に接続し制御を行なう制御部５１と、この制御部５１をコンピュータ機器２の規格化されたメモリカード用コネクタ２Ｂに接続するコネクタ３とを有し、コンピュータ機器２のメモリカード用スロット２Ａに挿入接続して使用できる構成となっている。」
　
　上記Ａ，Ｂ及び引用文献１の図１，２の記載からみて、引用文献１に記載のＩＣカード情報処理装置は、コンピュータ機器のメモリカード用スロットに挿入接続できるものであり、ＩＣカードと前記コンピュータ機器との間で用いられるものである。
　また、上記Ｅの記載からみて、前記ＩＣカードは、接点としてのコンタクト部を備えている。
　
　上記Ｂ，Ｃ及び引用文献１の図１の記載からみて、前記ＩＣカード情報処理装置は、メモリカード用スロットに内蔵される部分を有しており、当該メモリカード用スロットに内蔵される部分は、適用対象のメモリカードの規格に合った形状寸法を有するとともに、前記ＩＣカードとほぼ同じ寸法の幅を有しており、その長手方向の先端部に、前記コンピュータ機器内の接続コネクタに電気的に接続されるコネクタ部を含むものである。
　ここで、前記メモリカード用スロットに内蔵される部分は、「メモリカード用スロットに内蔵される」ものであるから、前記コンピュータ機器のメモリカード用スロットに受け入れられる、すなわち、前記コンピュータ機器に受け入れられるように設計されていることは明らかである。
　
　上記Ｂ，Ｄ及び引用文献１の図１の記載からみて、前記ＩＣカード情報処理装置は、コンピュータ機器外に出る部分を有しており、当該コンピュータ機器外に出る部分は、前記ＩＣカードの挿入用のカード挿入口を含むとともに、前記コネクタ部と反対側の、前記メモリカード用スロットに内蔵される部分の長手方向の他端に設けられており、その幅は、前記メモリカード用スロットに内蔵される部分の幅よりも大きい。
　
　上記Ｄ及び引用文献１の図１４の記載からみて、前記ＩＣカード情報処理装置は、前記カード挿入口と連通するＩＣカード挿入路を備えており、当該ＩＣカード挿入路が、ＩＣカードの少なくとも一部を受け入れるためのものであって、ほぼ平らな形状をしていることは明らかである。
　そして、前記ＩＣカード挿入路は、前記コンピュータ機器外に出る部分に設けられた前記カード挿入口から前記メモリカード用スロットに内蔵される部分にわたって連通して設けられているから、前記カード挿入口から前記コンピュータ機器外に出る部分の少なくとも一部分を突き抜けている。
　また、前記ＩＣカード挿入路の入り口部分にあたる前記カード挿入口には、前記ＩＣカードの挿入ガイドとなるガイド部が設けられ、さらに、前記ＩＣカード挿入路の一側には、前記ＩＣカードの幅方向の位置決めをするためのガイド面が設けられているから、前記ＩＣカード挿入路は、ＩＣカードのガイド及び位置決めを行うガイド部及びガイド面を有しており、これらのガイド部及びガイド面は、ＩＣカードがＩＣカード挿入路に挿入されるときに、ＩＣカードを案内するものであることは明らかである。
　
　上記Ｅの記載からみて、前記ＩＣカード情報処理装置は、ＩＣカードの接点としての前記コンタクト部に接離するコンタクトを備えている。
　
　したがって、上記Ａ−Ｅの記載事項及び関連する図面を参照すると、引用文献１には、次の発明（以下、「引用発明」という。）が記載されていると認められる。
　
「コンピュータ機器のメモリカード用スロットに挿入接続でき、接点としてのコンタクト部を備えたＩＣカードと前記コンピュータ機器との間で用いられるＩＣカード情報処理装置において、
　適用対象のメモリカードの規格に合った形状寸法を有し、前記コンピュータ機器に受け入れられるように設計され、その長手方向の先端部に前記コンピュータ機器内の接続コネクタに電気的に接続されるコネクタ部を含む、メモリカード用スロットに内蔵される部分を有し、当該メモリカード用スロットに内蔵される部分は、前記ＩＣカードとほぼ同じ寸法の幅を有しており、
　前記ＩＣカードの挿入用のカード挿入口を含み、前記コネクタ部と反対側の、前記メモリカード用スロットに内蔵される部分の長手方向の他端に設けられた、コンピュータ機器外に出る部分を有し、当該コンピュータ機器外に出る部分の幅は前記メモリカード用スロットに内蔵される部分の幅よりも大きく、
　ＩＣカードの少なくとも一部を受け入れるための、前記カード挿入口から前記コンピュータ機器外に出る部分の少なくとも一部分を突き抜ける、ほぼ平らな形状のＩＣカード挿入路を備え、前記ＩＣカード挿入路は、ＩＣカードのガイド及び位置決めを行うガイド部及びガイド面を有し、前記ガイド部及びガイド面は、ＩＣカードがＩＣカード挿入路に挿入されるときに、ＩＣカードを案内し、
　さらに、ＩＣカードの接点としての前記コンタクト部に接離するコンタクトを備えている、
ことを特徴とするＩＣカード情報処理装置。」
　
４．対比
（ａ）本願発明と引用発明とを対比すると、引用発明の「コンピュータ機器」及び「ＩＣカード」は、それぞれ、本願発明の「カードリーダー」及び「電気スマートカード」（単に「スマートカード」と表記されている場合を含む。）に相当する。
　また、引用発明の「ＩＣカード情報処理装置」は、ＩＣカードとコンピュータ機器との間で用いられて、両者のインターフェースとしての機能を果たすものであって、その形状からみて可搬（ポータブル）なものとして構成されていることは明らかである。
　さらに、引用発明の「挿入接続」及び「接点としてのコンタクト部」は、本願発明の「プラグ接続」及び「電気接続タブ」に相当する。
　よって、引用発明の「コンピュータ機器のメモリカード用スロットに挿入接続でき、接点としてのコンタクト部を備えたＩＣカードと前記コンピュータ機器との間で用いられるＩＣカード情報処理装置」は、本願発明の「カードリーダーにプラグ接続でき、電気接続タブを備えた少なくとも１つの電気スマートカードとカードリーダーとの間のポータブルインターフェース」に相当する。
　
（ｂ）引用発明の「メモリカード用スロットに内蔵される部分」は、「適用対象のメモリカードの規格に合った形状寸法を有し」ているのであるから、所定の長さ、幅及び厚さを有していることは明らかである。
　また、引用発明の「メモリカード用スロットに内蔵される部分」が有する「前記コンピュータ機器内の接続コネクタに電気的に接続されるコネクタ部」は、本願発明の「モジュール」が有する「前記カードリーダーとの接続用のプラグ接続可能な電気接続手段」に相当する。
　よって、引用発明の「適用対象のメモリカードの規格に合った形状寸法を有し、前記コンピュータ機器に受け入れられるように設計され、その長手方向の先端部に前記コンピュータ機器内の接続コネクタに電気的に接続されるコネクタ部を含む、メモリカード用スロットに内蔵される部分」は、本願発明の「長さ、幅及び厚さを有し、カードリーダーに受け入れられるように設計され、且つモジュールの長さの一端に前記カードリーダーとの接続用のプラグ接続可能な電気接続手段を含むモジュール」に相当する。
　そして、引用発明のメモリカード用スロットに内蔵される部分が「前記ＩＣカードとほぼ同じ寸法の幅を有し」ていることは、本願発明のモジュールが「前記スマートカードの幅にほぼ相当する幅を有し」ていることに相当する。
　
（ｃ）引用発明の「前記ＩＣカードの挿入用のカード挿入口」は、本願発明の「前記スマートカードの挿入用のスロット」に相当するから、引用発明の「前記ＩＣカードの挿入用のカード挿入口を含み、前記コネクタ部と反対側の、前記メモリカード用スロットに内蔵される部分の長手方向の他端に設けられた、コンピュータ機器外に出る部分」と、本願発明の「前記スマートカードの挿入用のスロットを含み、且つプラグ接続可能な電気接続手段と反対側の、モジュールの長手方向の他端に固着された端部分」とは、「前記スマートカードの挿入用のスロットを含み、且つプラグ接続可能な電気接続手段と反対側の、モジュールの長手方向の他端に設けられた端部分」である点で一致する。
　そして、引用発明において「当該コンピュータ機器外に出る部分の幅は前記メモリカード用スロットに内蔵される部分の幅よりも大き」いことは、本願発明において「端部分の幅はモジュールの幅よりも大き」いことに相当する。
　
（ｄ）引用発明の「ＩＣカードの少なくとも一部を受け入れるための、前記カード挿入口から前記コンピュータ機器外に出る部分の少なくとも一部分を突き抜ける、ほぼ平らな形状のＩＣカード挿入路」は、本願発明の「スマートカードの少なくとも一部分を受け入れるための、前記スロットから前記端部分の少なくとも一部分を突き抜ける、ほぼ平らな形状のハウジング」に相当する。
　また、引用発明の「ＩＣカードのガイド及び位置決めを行うガイド部及びガイド面」は、本願発明の「スマートカード用のガイド及び位置決め手段」に相当するから、引用発明において「前記ＩＣカード挿入路は、ＩＣカードのガイド及び位置決めを行うガイド部及びガイド面を有し、前記ガイド部及びガイド面は、ＩＣカードがＩＣカード挿入路に挿入されるときに、ＩＣカードを案内」することは、本願発明において「前記ハウジングはスマートカード用のガイド及び位置決め手段を有し、前記ガイド及び位置決め手段は、スマートカードがハウジングに挿入されるとき、スマートカードを案内」することに相当する。
　
（ｅ）引用発明の「ＩＣカードの接点としての前記コンタクト部に接離するコンタクト」は、本願発明の「スマートカードの前記電気接続タブとの電気接続手段」に相当する。
　
　したがって、本願発明と引用発明とは、
　
「カードリーダーにプラグ接続でき、電気接続タブを備えた少なくとも１つの電気スマートカードとカードリーダーとの間のポータブルインターフェースにおいて、
　長さ、幅及び厚さを有し、カードリーダーに受け入れられるように設計され、且つモジュールの長さの一端に前記カードリーダーとの接続用のプラグ接続可能な電気接続手段を含むモジュールを有し、モジュールは、前記スマートカードの幅にほぼ相当する幅を有しており、
　前記スマートカードの挿入用のスロットを含み、且つプラグ接続可能な電気接続手段と反対側の、モジュールの長手方向の他端に設けられた端部分を有し、端部分の幅はモジュールの幅よりも大きく、
　スマートカードの少なくとも一部分を受け入れるための、前記スロットから前記端部分の少なくとも一部分を突き抜ける、ほぼ平らな形状のハウジングを備え、前記ハウジングはスマートカード用のガイド及び位置決め手段を有し、前記ガイド及び位置決め手段は、スマートカードがハウジングに挿入されるとき、スマートカードを案内し、
　さらに、スマートカードの前記電気接続タブとの電気接続手段を備えている、
ことを特徴とするインターフェース。」
である点で一致し、以下の３点で相違している。
　
［相違点１］
　本願発明のモジュールが、「ＰＣＭＣＩＡ規格に従う長方形の並行六面体の形状」であるのに対し、引用発明においては、メモリカード用スロットに内蔵される部分が、「適用対象のメモリカードの規格に合った形状寸法」を有する旨は特定されているが、ＰＣＭＣＩＡ規格に従う長方形の平行六面体の形状であるか否かは特定されていない点。
　
［相違点２］
　本願発明のモジュールが、「スマートカードが通ることができる横方向のスロット」を含むのに対し、引用発明においては、メモリカード用スロットに内蔵される部分が、ＩＣカードが通ることができる横方向のスロットを含むか否か特定されていない点。
　
［相違点３］
　本願発明の端部分が、モジュールの一端に「固着」されるものであるのに対し、引用発明においては、コンピュータ機器外に出る部分が、メモリカード用スロットに内蔵される部分に、固着する形で設けられているか否か特定されていない点。
　
５．当審の判断
　以下、上記相違点について検討する。
　
［相違点１］について
　引用文献１においては、上記３．Ａの段落【０００４】において、ＰＣＭＣＩＡカードスロットについて言及されているように、メモリカードの規格の一つとしてＰＣＭＣＩＡ規格が念頭に置かれており、さらに、上記３．Ｂの段落【００１４】に記載されているように、大部分がメモリカードの規格に準じたＩＣカード情報処理装置の具体的形状寸法として、ＰＣＭＣＩＡのＴｙｐｅ　ＩＩカードの規格寸法と同じ、厚さ５mm、幅５４mmが上げられている。
　したがって、引用発明における適用対象のメモリカードの規格をＰＣＭＣＩＡ規格とし、適用対象のメモリカードの規格に合った形状寸法を有するメモリカード用スロットに内蔵される部分の形状を、本願発明のモジュールと同様、「ＰＣＭＣＩＡ規格に従う長方形の平行六面体の形状」とすることは当業者が容易に想到し得ることである。
　
［相違点２］について
　当審の拒絶理由に引用された刊行物である実願平４−５６６７７号（実開平６−１９０５２号）のＣＤ−ＲＯＭ（以下、「引用文献２」という。）の段落【００１４】〜段落【００１６】及び図３には、メモリカードとアダプタの幅がほぼ同一の場合に、メモリカードが挿入される部分について、アダプタの横方向を開放状態とした構成が記載されている。
　ここで、引用発明のＩＣカード情報処理装置は、ＩＣカードのアダプタとしての機能を有するものであり、メモリカード用スロットに内蔵される部分において、ＩＣカードとほぼ同じ寸法を有するのであるから、引用発明のＩＣカード情報処理装置に、上記引用文献２に記載の公知技術を適用し、メモリカード用スロットに内蔵される部分のＩＣカードが挿入される部分の横方向を開放状態とし、本願発明の「ＩＣカードが通ることができる横方向のスロット」と同様の開放部分を有する構成とすることは、当業者が容易になし得ることである。
　
　この点に関し、審判請求人は平成２０年５月１９日付けの意見書において、「しかし、スマートカードとＰＣＭＣＩＡカードちょうど同じ幅のものではないから、スマートカードとＰＣＭＣＩＡカードは完全に合っていないと言えるが、事実、スマートカードの幅は、５３．９２ｍｍと５４．０３ｍｍの間に含まれる。ＰＣＭＣＩＡカードの仕様書は、５４ｍｍを指示しているが、幅は、４５．１ｍｍに相当する２．１３インチに等しいと定められている。このことを考慮すると、当業者は、ＰＣＭＣＩＡカードをスマートカードよりも少し大きくすることができる機械的な遊びが，ＰＣＭＣＩＡカードの寸法について存在すると考える。従って、請求項１に記載の横方向スロットは自明ではない。」と主張する。
　確かに、審判請求人が主張するように、ＰＣＭＣＩＡカードをスマートカードよりも少し大きくすることができる機械的な遊びがある場合、横方向を開放状態とすることは必須ではないが、横方向を開放状態とすることを阻害するものでもなく、引用発明を知る当業者が、引用文献２に記載の上記公知技術に接した場合に、当該引用文献２に記載の公知技術を引用発明に適用しようとすることは、上述したような分野や構成の共通性を考えればごく自然であり、その適用にも何らの困難性は認められない。
　
　また、審判請求人は上記意見書において、「引用文献１では、ＰＣＭＣＩＡカードがスマートカードよりも大きい（図１４−１７参照）ことが分かる。加えて、横方向スロットがあるとしても、スマートカードはこの横方向スロットを貫通することができない。引用文献１は、スマートカードをガイド部材３４と３５の間に受け入れるため、ＰＣＭＣＩＡカードの内側のスマートカードの案内を保証するためのガイド部分１１Ｅを有する。このことからでも分かる様に、引用文献１はこのような請求項１に係る発明の構成乃至特徴を開示も示唆もしていない。」とも主張する。
　しかしながら、本願の請求項１においては「スマートカードが通ることができる横方向のスロット」と規定されているのみであって、スマートカードが横方向スロットを「貫通」することについては記載されていないから、上記主張は特許請求の範囲の記載に基づくものではない。
　また、上記本願の請求項１における「通ることができる」との表現が、「貫通することができる」ことを意味するとしても、引用文献１の実施例におけるガイドローラ２６Ａ，２６Ｂは、上記３．Ｄに記載されているようにばねによって付勢されるものであって、ＩＣカードの左右方向の動きを完全に固定するものではなく、引用発明の実施例のようにガイド部分１１Ｅがあったとしても、ＩＣカードは左右方向に動き得るから、メモリカード用スロットに内蔵される部分に横方向のスロットを設けた場合、ＩＣカードが当該横方向のスロットを貫通することもあり得るのであって、上記出願人の主張は採用できない。
　
［相違点３］について
　コンピュータ機器外に出る部分と、メモリカード用スロットに内蔵される部分とを一体的なものとして構成するか、コンピュータ機器外に出る部分と、メモリカード用スロットとを別部材とし、前者が後者に固着されるものとして構成するかは、当業者が適宜選択すべき事項であり、相違点３は格別なものではない。
　
　そして、本願発明の構成によってもたらされる効果も、引用発明及び引用文献２に記載の公知技術から当業者ならば容易に予測することができる程度のものであって、格別のものとはいえない。
　
６．むすび
　以上のとおり、本願発明は、引用文献１，２に記載された発明に基づいて、当業者が容易に発明をすることができたものであるから、特許法第２９条第２項の規定により特許を受けることができない。
　
　
　よって、結論のとおり審決する。